(57)【要約】【課題】装置全体を小型にするとともに、コストを低減することができるドレン処理装置を提供する。【解決手段】１次前処理機構２０ａにおいて、被処理液の排気を行い、また、被処理液からドレンを得て、さらに、ドレンを浮上油と水分とに分離し、ドレン中の水分を２次前処理機構５０ａへ流すようにし、２次前処理機構５０ａおよび後処理機構６０においては、ドレン中の水分に含まれる分散油および乳化油をそれぞれ処理するだけでよいようにした。【選択図】図１
2005111307.tif 000002
【特許請求の範囲】
【請求項１】
コンプレッサー本体あるいは除湿機器の自動排水弁やエアタンクの排水弁に接続して、該排水弁側から圧送される被処理液を処理するためのドレン処理装置において、
前記圧送された被処理液が排気されるとともに、前記被処理液中のドレンを収容して該ドレンを浮上油と水分とに分離し、浮上油と水分とをそれぞれ取り出すようにした１次前処理機構と、前記水分中の主に分散油を処理するための２次前処理機構と、前記分散油が処理された水分中の主に乳化油を処理するための後処理機構とを備えたことを特徴とするドレン処理装置。
【請求項２】
コンプレッサー本体あるいは除湿機器の自動排水弁やエアタンクの排水弁に接続して、該排水弁側から圧送される被処理液を処理するためのドレン処理装置において、
前記圧送された被処理液が排気されるとともに、前記被処理液中のドレンを収容して該ドレンを浮上油と水分とに分離し、浮上油と水分とをそれぞれ取り出すようにした１次前処理機構と、前記水分中の主に分散油を処理するための２次前処理機構と、前記分散油が処理された水分中の主に乳化油を処理するための後処理機構とを備え、
前記１次前処理機構は、前記排水弁側に連結され、前記被処理液を排出することで該被処理液からドレンが得られるように配された排出管と、前記ドレンを収容してドレンを浮上油と水分とに分離するための浮上油処理槽と、前記ドレンから水分を取り出すための水分取出管とを備えたことを特徴とするドレン処理装置。
【請求項３】
前記排出管は、該排出管から排出された被処理液が前記浮上油処理槽の立壁に衝突することでドレンが得られるように形成されていることを特徴とする請求項２に記載のドレン処理装置。
【請求項４】
前記１次前処理機構は、前記浮上油処理槽の上方に配されたエアーフィルター部材を備え、
前記排出管は、前記エアーフィルター部材と前記浮上油処理槽との間の空間に延設され、前記被処理液が前記エアーフィルター部材に沿って略水平方向へ排出されるように形成され、
前記エアーフィルター部材は、前記排出管から被処理液が排出されるときに生じる霧状物が通過しない一方、前記被処理液とともに排出された空気が通過して前記１次前処理機構の外に排気されるように形成されていることを特徴とする請求項２に記載のドレン処理装置。
【請求項５】
前記２次前処理機構は、前記１次前処理機構から取り出された前記水分を収容し、該水分中の分散油を吸着するためのフィルター部材が充填された分散油処理槽と、前記分散油を除いた水分を取り出すための油水分離管を備え、
前記油水分離管は、前記分散油処理槽の下部から該分散油処理槽の上方に延びていて、前記油水分離管の下端部に前記分散油処理槽の下部に溜まった水分が流入するための水分流入口が開設され、前記油水分離管の上端口が前記分散油処理槽の上方にある空間に連通していて、前記油水分離管の下端部と上端部との間の中間部に前記水分流入口から入り前記油水分離管内を上昇する水分が流出する水分流出口が開設されていることを特徴とする請求項１または２に記載のドレン処理装置。
【請求項６】
前記２次前処理機構は、複数の槽を備えていて、該複数の槽が前記水分中の主に分散油あるいは乳化油を徐々に吸着していくように配されていることを特徴とする請求項１または２に記載のドレン処理装置。
【請求項７】
前記浮上油処理槽および前記分散油処理槽は、１つの容器に収まるように配されていることを特徴とする請求項５に記載のドレン処理装置。
【請求項８】
前記２次前処理機構は、前記分散油処理槽によって前記分散油が除かれた水分中の乳化油を分離吸着するためのフィルター部材が充填された乳化油処理槽を備え、
前記浮上油処理槽および前記分散油処理槽は、前記複数の容器に別々に収まるように配され、あるいは、前記複数の容器の１つに収まるように配され、
前記乳化油処理槽は、前記複数の容器の他の１つに収まるように配されていることを特徴とする請求項５に記載のドレン処理装置。
【請求項９】
前記容器は、ドラム缶を用いたものであることを特徴とする請求項７または８に記載のドレン処理装置。
【請求項１０】
前記フィルター部材は収納袋に詰め込まれ、
前記収納袋は、前記２次前処理機構の中に吊り下げられるように配されていることを特徴とする請求項５または８に記載のドレン処理装置。
【発明の詳細な説明】
【技術分野】
【０００１】
本発明は、コンプレッサー本体の自動排水弁やエアタンクの排水弁に接続して、該排水弁側から圧送される被処理液を処理するためのドレン処理装置に関する。その他、本ドレン処理装置は、アフタークーラー、エアドライヤー、エアフィルター、除湿機器等の自動または手動の排水弁に接続して用いられる。
【背景技術】
【０００２】
従来のドレン処理装置としては、本出願人が先に提案したものがある。すなわち、コンプレッサーから圧送された被処理液を排気するとともに、ドレンを取り出すための気液分離槽を備え、取り出されたドレンが供給管を通って浮上油分離槽に流れるようになっている。浮上油分離槽が油水分離塔と水分取出管とで構成され、油水分離塔にドレンを単に溜めることにより、溜ったドレンが浮上油と水分とに自然に分離し、分離した浮上油を逐次排出するようにし、浮上油を排出した以降ではドレン中の水分のみを処理すればよく、大量の被処理液を処理することができるものである（例えば、特許文献１参照。）。
【０００３】
【特許文献１】特開平５−１８４８１０号公報
【発明の開示】
【発明が解決しようとする課題】
【０００４】
しかしながら、このような従来のドレン処理装置では、気液分離槽と浮上油分離槽とが別々の槽で構成されていて、部品点数が多く、組立工数も多くなり、コストが嵩むとともに、装置全体が大型になるという問題点があった。
【０００５】
本発明は、このような従来の問題点に着目してなされたもので、コストを低減することができ、また、装置を小型にすることができるドレン処理装置を提供し、また、圧送される被処理液からドレンを得て、ドレンから簡単に水分を取り出すことができるドレン処理装置を提供することを目的としている。
【課題を解決するための手段】
【０００６】
かかる目的を達成するための本発明の要旨とするところは、次の各項の発明に存する。
［１］コンプレッサー本体あるいは除湿機器の自動排水弁やエアタンクの排水弁に接続して、該排水弁側から圧送される被処理液を処理するためのドレン処理装置（１０ａ）において、
前記圧送された被処理液が排気されるとともに、前記被処理液中のドレンを収容して該ドレンを浮上油と水分とに分離し、浮上油と水分とをそれぞれ取り出すようにした１次前処理機構（２０ａ）と、前記水分中の主に分散油を処理するための２次前処理機構（５０ａ）と、前記分散油が処理された水分中の主に乳化油を処理するための後処理機構（６０）とを備えたことを特徴とするドレン処理装置（１０ａ）。
【０００７】
［２］コンプレッサー本体あるいは除湿機器の自動排水弁やエアタンクの排水弁に接続して、該排水弁側から圧送される被処理液を処理するためのドレン処理装置（１０ａ）において、
前記圧送された被処理液が排気されるとともに、前記被処理液中のドレンを収容して該ドレンを浮上油と水分とに分離し、浮上油と水分とをそれぞれ取り出すようにした１次前処理機構（２０ａ）と、前記水分中の主に分散油を処理するための２次前処理機構（５０ａ）と、前記分散油が処理された水分中の主に乳化油を処理するための後処理機構（６０）とを備え、
前記１次前処理機構（２０ａ）は、前記排水弁側に連結され、前記被処理液を排出することで該被処理液からドレンが得られるように配された排出管（２２）と、前記ドレンを収容してドレンを浮上油と水分とに分離するための浮上油処理槽（３０）と、前記ドレンから水分を取り出すための水分取出管（３１）とを備えたことを特徴とするドレン処理装置（１０ａ）。
【０００８】
［３］前記排出管（２２）は、該排出管（２２）から排出された被処理液が前記浮上油処理槽（３０）の立壁（３２）に衝突することでドレンが得られるように形成されていることを特徴とする［２］に記載のドレン処理装置（１０ａ）。
【０００９】
［４］前記１次前処理機構（２０ａ）は、前記浮上油処理槽（３０）の上方に配されたエアーフィルター部材（２３）を備え、
前記排出管（２２）は、前記エアーフィルター部材（２３）と前記浮上油処理槽（３０）との間の空間に延設され、前記被処理液が前記エアーフィルター部材（２３）に沿って略水平方向へ排出されるように形成され、
前記エアーフィルター部材（２３）は、前記排出管（２２）から被処理液が排出されるときに生じる霧状物が通過しない一方、前記被処理液とともに排出された空気が通過して前記１次前処理機構（２０ａ）の外に排気されるように形成されていることを特徴とする［２］に記載のドレン処理装置（１０ａ）。
【００１０】
［５］前記２次前処理機構（５０ａ）は、前記１次前処理機構（２０ａ）から取り出された前記水分を収容し、該水分中の分散油を吸着するためのフィルター部材が充填された分散油処理槽（５０）と、前記分散油を除いた水分を取り出すための油水分離管（５１）を備え、
前記油水分離管（５１）は、前記分散油処理槽（５０）の下部から該分散油処理槽（５０）の上方に延びていて、前記油水分離管（５１）の下端部に前記分散油処理槽（５０）の下部に溜まった水分が流入するための水分流入口（５１ａ）が開設され、前記油水分離管（５１）の上端口（５１ｂ）が前記分散油処理槽（５０）の上方にある空間に連通していて、前記油水分離管（５１）の下端部と上端部との間の中間部に前記水分流入口（５１ａ）から入り前記油水分離管（５１）内を上昇する水分が流出する水分流出口（５１ｃ）が開設されていることを特徴とする［１］または［２］に記載のドレン処理装置（１０ａ）。
【００１１】
［６］前記２次前処理機構（５０ａ）は、複数の槽を備えていて、該複数の槽が前記水分中の主に分散油あるいは乳化油を徐々に吸着していくように配されていることを特徴とする［１］または［２］に記載のドレン処理装置（１０ａ）。
【００１２】
［７］前記浮上油処理槽（３０）および前記分散油処理槽（５０）は、１つの容器（１１）に収まるように配されていることを特徴とする［５］に記載のドレン処理装置（１０ａ）。
【００１３】
［８］前記２次前処理機構（５０ａ）は、前記分散油処理槽（５０）によって前記分散油が除かれた水分中の乳化油を分離吸着するためのフィルター部材（５６，５６ａ）が充填された乳化油処理槽（５５）を備え、
前記浮上油処理槽（３０）および前記分散油処理槽（５０）は、前記複数の容器（１１）に別々に収まるように配され、あるいは、前記複数の容器（１１）の１つに収まるように配され、
前記乳化油処理槽（５５）は、前記複数の容器（１１）の他の１つに収まるように配されていることを特徴とする［５］に記載のドレン処理装置（１０ａ）。
【００１４】
［９］前記容器（１１）は、ドラム缶を用いたものであることを特徴とする［７］または［８］に記載のドレン処理装置（１０ａ）。
【００１５】
［１０］前記フィルター部材は収納袋（５７）に詰め込まれ、
前記収納袋（５７）は、前記２次前処理機構（５０ａ）の中に吊り下げられるように配されていることを特徴とする［５］または［８］に記載のドレン処理装置（１０ａ）。
【００１６】
次に、以上のドレン処理装置（１０ａ）において、被処理液がどのように処理されるかについて説明する。コンプレッサー本体等から被処理液が１次前処理機構（２０ａ）に圧送され、圧送された被処理液が１次前処理機構（２０ａ）に排気され、また、被処理液中のドレンが１次前処理機構（２０ａ）に収容される。１次前処理機構（２０ａ）では、ドレンは浮上油と水分とに自然に分離し、浮上油および水分をそれぞれ取り出すことができる。ドレン中の水分が２次前処理機構（５０ａ）に流入し、２次前処理機構（５０ａ）で、水分中の主として分散油が処理される。分散油が除かれたドレン中の水分が、後処理機構（６０）に流入し、後処理機構（６０）で、水分中の乳化油が処理される。
【００１７】
このように、１次前処理機構（２０ａ）において、被処理液の排気を行い、また、被処理液からドレンを得て、さらに、ドレンを浮上油と水分とに分離して、浮上油と水分とをそれぞれ取り出すようにしたので、２次前処理機構（５０ａ）および後処理機構（６０）においては、ドレン中の水分に含まれる分散油および乳化油をそれぞれ処理するだけでよい。すなわち、１次前処理機構（２０ａ）、２次前処理機構（５０ａ）および後処理機構（６０）の３つの機構で、ドレンを処理することができ、部品点数が減って、また、装置全体が小型になる。
【００１８】
次に、１次前処理機構（２０ａ）が、排水弁側に連結され、被処理液を排出することで被処理液からドレンが得られるように配された排出管（２２）と、ドレンを収容してドレンを浮上油と水分とに分離するための浮上油処理槽（３０）と、ドレンから水分を取り出すための水分取出管（３１）とを備えたものでは、以下のように、被処理液が処理される。
【００１９】
圧送された被処理液は排出管（２２）から排出される。それによって、被処理液に含まれているドレンが得られる。ドレンは浮上油処理槽（３０）に収容される。浮上油は比重が小さいので、浮上油処理槽（３０）内のドレンは浮上油と水分とに分離する。浮上油処理槽（３０）の上部から浮上油を容易に取り出すことができる。水分取出管（３１）を用いることで、浮上油処理槽（３０）の下部から水分を容易に取り出すことができる。
【００２０】
排出管（２２）がその排出管（２２）から排出された被処理液が浮上油処理槽（３０）の立壁（３２）に衝突することでドレンが得られるように形成されたものでは、以下のように、被処理液が処理される。すなわち、排出管（２２）から排出された被処理液は、浮上油処理槽（３０）の立壁（３２）に衝突するようになる。浮上油処理槽（３０）の立壁（３２）に衝突することで、被処理液は速度が低下し、被処理液中の空気とドレンとが分離され、ドレンを得ることができる。
【００２１】
１次前処理機構（２０ａ）が浮上油処理槽（３０）の上方に配されたエアーフィルター部材（２３）を備えたものでは、以下のように、被処理液が処理される。
【００２２】
すなわち、被処理液は、排出管（２２）から浮上油処理槽（３０）とエアーフィルター部材（２３）の間の空間に飛び散るようにして排出される。飛び散った被処理液は、浮上油処理槽（３０）に収容される。また、被処理液がエアーフィルター部材（２３）に沿って略水平方向へ排出されるので、被処理液が排出されるときに生じる霧状物は、エアーフィルター部材（２３）を通過しないで１次前処理機構（２０ａ）の外に排出されることがない。一方、被処理液とともに排出された空気は、エアーフィルター部材（２３）を通過して１次前処理機構（２０ａ）の外に排気されるようになる。
【００２３】
次に、２次前処理機構（５０ａ）が１次前処理機構（２０ａ）から取り出された水分を収容し、水分中の分散油を吸着するためのフィルター部材（５６，５６ａ）が充填された分散油処理槽（５０）と、分散油を除いた水分を取り出すための油水分離管（５１）を備えたものでは、１次前処理機構（２０ａ）から取り出された水分は、分散油処理槽（５０）内のフィルター部材（５６，５６ａ）により、水分中の分散油が吸着され、分散油処理槽（５０）の下部には、分散油を除いた水分が溜まるようになり、その溜まった水分を容易に取り出すことができる。具体的には、以下のように分散油を除いた水分が取り出される。油水分離管（５１）の上端口（５１ｂ）が分散油処理槽（５０）の上方にある空間に連通しているので、分散油処理槽（５０）の下部に溜まった水分が分散油処理槽（５０）内のドレンの圧力により油水分離管（５１）の水分流入口（５１ａ）から流入し、油水分離管（５１）内を上昇した水分を水分流出口（５１ｃ）から流出するようになる。このようにして、分散油処理槽（５０）の下部から分散油を除いた水分を簡単に取り出すことができる。
【００２４】
次に、２次前処理機構（５０ａ）は、複数の槽を備えていて、その複数の槽が水分中の主に分散油あるいは乳化油を徐々に吸着していくように配されているものでは、ドレンが大量に２次前処理機構（５０ａ）に流入した場合にも、各槽で分散油あるいは乳化油を少しずつ処理することで、上流側の槽では、流入した分散油あるいは乳化油を多く吸着することができない場合でも、最下流の槽までに、分散油あるいは乳化油を所定量吸着することができ、ドレン中の水分が１次前処理機構（２０ａ）から２次前処理機構（５０ａ）の複数の槽を流れることで、水分中に含まれる分散油あるいは乳化油を多量に処理することができ、多量のドレンを確実に処理することができる。
【００２５】
次に、浮上油処理槽（３０）および分散油処理槽（５０）は、１つの容器（１１）に収まるように配されているものでは、浮上油処理槽（３０）および分散油処理槽（５０）を別々の容器（１１）に収めないで済み、部品点数や組立工数が減少し、また、装置が小型になり、さらに、装置の凹凸や突起感が少なくなって、すっきりしたデザインになる。
【００２６】
次に、２次前処理機構（５０ａ）は、分散油処理槽（５０）によって分散油が除かれた水分中の乳化油を分離吸着するためのフィルター部材（５６，５６ａ）が充填された乳化油処理槽（５５）を備えたものでは、１次前処理機構（２０ａ）の浮上油処理槽（３０）および２次前処理機構（５０ａ）の分散油処理槽（５０）は、複数の容器（１１）に別々に収まるように配される。また、２次前処理機構（５０ａ）の乳化油処理槽（５５）は、複数の容器（１１）の他の１つに収まるように配される。１次前処理機構（２０ａ）を構成する槽および２次前処理機構（５０ａ）を構成する各槽を複数の容器（１１）に別々に収めるように配することで、各槽の容量が大きくなり、多量のドレンを浮上油と水分とに分離し、水分中に含まれている分散油や乳化油を吸着することができる。
【００２７】
また、１次前処理機構（２０ａ）の浮上油処理槽（３０）および２次前処理機構（５０ａ）の分散油処理槽（５０）は、複数の容器（１１）の１つに収まるように配されるものでもよい。このように、１次前処理機構（２０ａ）を構成する槽と、２次前処理機構（５０ａ）を構成する槽とを組み合わせて、１つの容器（１１）に収めるようにすることで、１次前処理機構（２０ａ）および２次前処理機構（５０ａ）を自由にレイアウトすることができる。さらに、２次前処理機構（５０ａ）の乳化油処理槽（５５）において、分散油を除いた水分中の乳化油をある程度吸着するようにしたので、例えば、後処理機構（６０）において、水分中の乳化油を処理する量が減って、後処理機構（６０）を小型にすることができる。
【００２８】
次に、容器（１１）にドラム缶を用いたものでは、例えば、ドラム缶製造会社や販売会社の製品カタログに載っているドラム缶を使用することで、わざわざ容器（１１）を製作しないで済み、容器（１１）のコストを大幅に削減することができる。また、ドラム缶の中には、その容量が小さいものから大きなものまで多種あり、ドラム缶の容量をドレンの処理量に応じて選ぶことができる。
【００２９】
次に、フィルター部材（５６，５６ａ）が収納袋（５７）に詰め込まれ、収納袋（５７）が２次前処理機構（５０ａ）の中に吊り下げられるように配されているものでは、ドレンは以下のように処理される。すなわち、浮上油を除いたドレンが２次前処理機構（５０ａ）に流入すると、ドレン中の分散油は、分散油吸着材であるフィルター部材（５６，５６ａ）により吸着される。また、ドレン中の乳化油は、乳化油分離材であるフィルター部材（５６，５６ａ）により分離吸着される。長期間の使用によって、フィルター部材（５６，５６ａ）が分散油を吸着し難くなったり、乳化油を分離吸着し難くなった場合に、そのフィルター部材（５６，５６ａ）を交換する場合には、フィルター部材（５６，５６ａ）が詰め込まれた収納袋（５７）を２次前処理機構（５０ａ）から外し、代えて、新たなフィルター部材（５６，５６ａ）が詰め込まれた収納袋（５７）を、２次前処理機構（５０ａ）に吊り下げればよい。このようにして、簡単に、フィルター部材（５６，５６ａ）の交換作業を行うことができる。
【発明の効果】
【００３０】
本発明にかかるドレン処理装置によれば、圧送された被処理液が１次前処理機構に排気され、また、被処理液中のドレンが１次前処理機構に収容され、１次前処理機構で、ドレンを浮上油と水分とに分離し、ドレン中の大部分を占める浮上油を簡単に処理した後では、２次前処理機構および後処理機構で、ドレン中の水分に含まれる分散油および乳化油をそれぞれ処理すればよいようにしたので、被処理液を１次前処理機構、２次前処理機構および後処理機構の３つの機構で処理することができ、部品点数が減って、コストを低減することができるとともに、装置全体を小型にすることができる。
【００３１】
被処理液からドレンを得るように配された排出管と、ドレンを浮上油と水分とに分離する浮上油処理槽と、ドレンから水分を取り出すための水分取出管とによる簡単な構成で、被処理液から水分を容易に取り出すことができる。排出管から排出された被処理液が浮上油処理槽の立壁に衝突することで、被処理液からドレンを得ることができるようにしたので、排出管と浮上油処理槽の立壁との簡単な構成により、ドレンを容易に得ることができる。
【００３２】
１次前処理機構が浮上油処理槽の上方に配されたエアーフィルター部材を備え、被処理液がエアーフィルター部材に沿って略水平方向へ排出されるので、被処理液が排出されるときに生じる霧状物がエアーフィルター部材を通過しないで１次前処理機構の外に排出されることがなく、被処理液とともに排出された空気は、エアーフィルター部材を通過して１次前処理機構の外に排気されるようになり、１次前処理機構に圧送された被処理液、被処理液とともに圧送される空気、被処理液が排出されるときに生じる霧状物を１次前処理機構で確実に処理することができる。
【００３３】
また、油水分離管は、分散油処理槽の下部から分散油処理槽の上方に延びていて、油水分離管の下端部に分散油処理槽の下部に溜まった水分が流入するための水分流入口が開設されているので、油水分離管の上端口が分散油処理槽の上方にある空間に連通していて、分散油処理槽の下部に溜まり、油水分離管の水分流入口から流入した水分が、分散油処理槽内のドレンの圧力により、油水分離管内を上昇し、水分流出口から流出するようになり、分散油処理槽の下方から分散油を除いた水分を油水分離管によって簡単に取り出すことができる。
【００３４】
さらに、２次前処理機構が複数の槽を備えていて、複数の槽がドレン中の主に分散油あるいは乳化油を徐々に吸着していくようにしたので、各槽で分散油あるいは乳化油を少しずつ処理することができ、多量のドレン中の水分に含まれる多量の分散油あるいは乳化油を確実に処理することができる。さらに、浮上油処理槽および分散油処理槽は、１つの容器に収まるように配されているものでは、部品点数が減って、組立コストや部品コストを低減することができ、また、装置を小型にすることができ、さらに、装置の凹凸や突起感が少なくなって、すっきりしたデザインになり、外観品質を向上することができる。
【００３５】
さらに、浮上油処理槽、分散油処理槽および乳化油処理槽の各槽を複数の容器に別々に収めるようにしたので、各槽の容量が大きくなり、多量の被処理液を処理可能にすることができる。また、１次前処理機構を構成する浮上油処理槽と、２次前処理機構を構成する分散油処理槽とを組み合わせて、１つの容器に収めるようにしたので、１次前処理機構および２次前処理機構を自由にレイアウトすることができる。さらに、２次前処理機構として乳化油処理槽を備え、乳化油処理槽でドレン中の乳化油をある程度分離吸着するようにしたので、後処理機構で乳化油を処理する量が減って、後処理機構を小型にすることができる。
【００３６】
さらに、容器にドラム缶を用いたので、わざわざ容器を製作しなくてもよく、容器のコストを大幅に削減することができ、また、ドラム缶には容量が小さなものから大きなものまで多種あり、ドラム缶の容量をドレンの処理量に応じて選ぶことができる。さらに、フィルター部材が収納袋に詰め込まれ、その収納袋が２次前処理機構の中に吊り下げられるように配されているので、フィルター部材が詰め込まれた収納袋を交換するとき、収納袋を２次前処理機構から外し、新たなフィルター部材が詰め込まれた収納袋を２次前処理機構に吊り下げればよく、簡単に、フィルター部材の交換作業を行うことができる。
【発明を実施するための最良の形態】
【００３７】
以下、図面に基づき本発明の第１実施の形態を説明する。図１〜図１３は本発明の第１実施の形態を示している。図１〜図５に示すように、本実施の形態に係るドレン処理装置１０ａは、コンプレッサー本体（図示省略）等の排水弁に接続され、圧送された被処理液が排気されるとともに、被処理液中のドレンを収容してドレンを浮上油と水分とに分離し、浮上油と水分とをそれぞれ取り出すための１次前処理機構２０ａと、水分中の主に分散油を処理するための２次前処理機構５０ａと、分散油が処理された水分中の主に乳化油を処理するための後処理機構６０とを備えている。
【００３８】
ドレン処理装置１０ａは箱形の基台１０を備え、基台１０は収納部１３を有している。基台１０には１つの容器１１が載置されている。容器１１には、１次前処理機構２０ａおよび２次前処理機構５０ａが収まるように配されている。収納部１３には、後処理機構６０が出し入れ可能に配されている。また、寒冷地仕様のものには、容器１１を載置する基台１０の上面にヒーターパネルが配されている。
【００３９】
１次前処理機構２０ａは、排水弁側に連結され、被処理液を排出することで被処理液からドレンが得られるように配された排出管２２と、ドレンを収容してドレンを浮上油と水分とに分離するための浮上油処理槽３０と、ドレンから水分を取り出すための水分取出管３１とを備えている。
【００４０】
排出管２２は、その排出管２２から排出された被処理液が浮上油処理槽３０の立壁３２に衝突することでドレンが得られるように形成されている。すなわち、排出管２２の吹出口２２ａは、浮上油処理槽３０の立壁３２に向かって開設されている。排出管２２の吹出口２２ａは、被処理液が上方向へ排出されるように形成されていてもよい。排出管２２から排出された被処理液を、浮上油処理槽３０の立壁３２とは別部材である被衝突部材に衝突させてドレンを得るようにしてもよい。
【００４１】
１次前処理機構２０ａは、浮上油処理槽３０の上方に配されたエアーフィルター部材２３を備えている。排出管２２は、浮上油処理槽３０の下方から浮上油処理槽３０の中を通って、エアーフィルター部材２３と浮上油処理槽３０との間の空間に延設されている。排出管２２の先端部は、略Ｔ字形の流路になっていて、両方に吹出口２２ａを有し、被処理液が両方の吹出口２２ａからエアーフィルター部材２３に沿って略水平方向へそれぞれ排出されるように形成されている。
【００４２】
また、エアーフィルター部材２３は、排出管２２から被処理液が排出されるときに生じる霧状物が通過しないで１次前処理機構２０ａの外に排出されない一方、被処理液とともに排出された空気が通過して１次前処理機構２０ａの外に排気されるように形成されている。エアーフィルター部材２３は、被処理液が排出されるときの消音をするものでもある。
【００４３】
図１においては、容器１１の正面パネルを取除いて、容器１１内の構成を示している。容器１１の内部は、隔壁１２によって、ドレン中の浮上油を溜めておくための浮上油貯留槽１５、１次前処理機構２０ａおよび、２次前処理機構５０ａの３つの槽に分かれている。浮上油貯留槽１５、１次前処理機構２０ａおよび、２次前処理機構５０ａの周壁には、それぞれレベルゲージＬＧが配されている。
【００４４】
排出管２２は、浮上油処理槽３０を上下方向へ貫通していて、排出管２２の上端部が浮上油処理槽３０の上方にある空間にまで延ばされ、排出管２２の上端には上方にある空間に連通する吹出口２２ａが開設されている。排出管２２の下端部２２ｂが図示省略したコンプレッサー本体の自動排水弁やエアタンクの排水弁に接続されている。図１では、コンプレッサー等から被処理液が圧送されてくる方向を上方の矢印で示し、被処理液が浮上油処理槽３０に投入される方向を下方の矢印で示している。１次前処理機構２０ａには、浮上油処理槽３０に被処理液を直接投入可能にすることで、被処理液をドレンとして浮上油処理槽３０に収容するための被処理液投入口２５が開設されている。浮上油貯留槽１５の上部開口を閉じ、被処理液投入口２５を閉じ、また、分散油処理槽５０の上部開口を閉じるための蓋部材１９がそれぞれ設けられている。
【００４５】
浮上油処理槽３０は、ドレンが浮上油と水分とに上下に分離した状態で溜まるもので、隔壁１２には、浮上油を浮上油貯留槽１５へ取り出すための浮上油取出口１６が開設されている。浮上油貯留槽１５の側壁には排出ホース１７が接続され、排出ホース１７の先端部が浮上油受け容器１８に接続されている。浮上油処理槽３０には、ドレンの水分を取り出すための水分取出管３１が配管されている。水分取出管３１の下端部が浮上油処理槽３０の下部（底部近傍）まで延び、その下端には水分取入口３１ａが開設されている。水分取出管３１の上端は、浮上油処理槽３０の上方にある空間に延ばされ、その空間に水分取出管３１の上端口３１ｂが連通している。
【００４６】
水分取出管３１の下端部と上端部との間の中間部には、ドレンの圧力により水分取入口３１ａから入り浮上油処理槽３０内で上昇した水分を取出すための水分取出口３１ｃが開設されている。水分取出口３１ｃは、浮上油と水分との比重に相違がある関係で、浮上油取出口１６より所定量低くなっている。
【００４７】
分散油処理槽５０は、水分取出口３１ｃから流れるドレンを溜めるためのものであり、その内部には分散油吸着材であるフィルター部材５６が充填されている。フィルター部材５６は、ドレン中に含まれ、時間をおけば非常にゆっくりと浮上する比較的粒子径の大きな分散油を吸着するものであり、所定長さを有するムカデ状のものである。
【００４８】
分散油処理槽５０の下部（底部近傍）から分散油処理槽５０の上方に油水分離管５１が延設され、油水分離管５１の下端部には水分流入口５１ａが開設され、油水分離管５１の上端口５１ｂが分散油処理槽５０内の上方にある空間に連通している。その空間は大気圧と同じ圧力になっている。油水分離管５１の下端部と上端部との間の中間部には水分取出口５１ｃが開設されている。水分取出口５１ｃには連結管５２の基端部が連結され、連結管５２が基台１０内の後処理機構６０に延設されている。また、分散油処理槽５０の側壁には、水分取出口３１ｃよりやや低い位置にオーバーフロー管５９が接続されている。オーバーフロー管５９の先端部は、受け容器５８に延ばされている。
【００４９】
図１３に示すように、後処理機構６０の本体６１は筒状に形成され、その筒軸の端部が上方に持ち上がって傾斜した状態で固定されている。本体６１の上下端部には短筒状のソケット６２がそれぞれ外嵌し、各ソケット６２にはねじ付きのパイプ部材６３が内嵌し、各パイプ部材６３のねじ部６３ａに蓋体６４が螺着されている。パイプ部材６３と蓋体６４との間の隙間にはパッキン６４ａが介装されている。
【００５０】
下方の蓋体６４には流入口である入口ブッシュ６５が溶着され、上方の蓋体６４には流出口である出口ブッシュ６６が溶着されている。入口ブッシュ６５は蓋体６４の中央部に位置し、出口ブッシュ６６は、蓋体６４の最上位になるようにセットされている。
【００５１】
後処理機構６０の本体６１の内部には、上端部および下端部に多孔板６７がそれぞれ内嵌している。多孔板６７はプラスチック製の網であってもよい。両方の多孔板６７の間の空間には、下方から順に、乳化油吸着材６８、乳化油分離材６９および乳化油吸着材６８が充填されている。
【００５２】
次に、ドレン処理装置１０ａにおいて、被処理液がどのように処理されるかについて作用を説明する。図外のコンプレッサー本体等から被処理液が排出管２２を通って１次前処理機構２０ａの浮上油処理槽３０の上方にある空間に圧送される。圧送された被処理液は、排出管２２の両方の吹出口２２ａからエアーフィルター部材２３に沿って略水平方向に排出される。このとき、被処理液は飛び散るようになり、このときに生じる霧状物はエアーフィルター部材２３を通過しないで１次前処理機構２０ａの外に排出されない。一方、被処理液とともに排出された空気はエアーフィルター部材２３を通過して１次前処理機構２０ａの外に排気される。
【００５３】
また、排出管２２の両方の吹出口２２ａから排出された被処理液は、浮上油処理槽３０の両方の立壁３２にそれぞれ衝突することで、速度が低下し、立壁３２に沿って流下し、ドレンとして浮上油処理槽３０に収容される。以上のように、１次前処理機構２０ａへ圧送された被処理液、被処理液とともに排出された空気および、被処理液を排出するときに生じる霧状物は、１次前処理機構２０ａでそれぞれ処理される。
【００５４】
１次前処理機構２０ａへ圧送されない被処理液は、次のように処理される。すなわち、蓋部材１９を開け、被処理液投入口２５を通して、浮上油処理槽３０に直接投入すればよい。このように、被処理液を浮上油処理槽３０に直接投入する場合には、被処理液は空気とともに圧送されず、また、霧状物も生じないので、空気および霧状物を処理する必要がない。さらに、被処理液を浮上油処理槽３０に直接投入するときに、排出管２２の吹出口２２ａが略水平方向を向いているので、被処理液が排出管２２内に入ることがない。
【００５５】
浮上油処理槽３０にはある程度ドレンが溜っていて、溜ったドレンは自然に浮上油と水分とに分離され、浮上油が浮上油取出口１６まで上昇しており、また、ドレンの圧力により、水分が水分取入口３１ａから入り、水分取出管３１内を水分取出口３１ｃまで上昇している。したがって、浮上油処理槽３０にドレンが流入すると、そのドレン中の浮上油に相当する量の浮上油が、浮上油取出口１６を通って系外に流れ、そのドレン中の水分に相当する量の水分が、水分取出口３１ｃを通って分散油処理槽５０内に流入する。
【００５６】
浮上油処理槽３０にドレンを単に溜めることにより、溜ったドレンが浮上油と水分とに自然に分離し、分散油処理槽５０以降ではドレン中の水分である分散油、乳化油のみ処理すればよく、大型の装置によらないで、大量の被処理液を処理することができる。
【００５７】
分散油処理槽５０に水分が溜まると、主として、水分に含まれている比較的粒子径の大きな分散油が、分散油吸着材であるフィルター部材５６によって吸着され、分散油を除去した水分が、分離油吸着槽５０の下部に溜められる。分散油処理槽５０内の水分の圧力により、分散油を除いた水分が、水分流入口５１ａから油水分離管５１内を上昇し、水分流出口５１ｃから流出し、連結管５２を通って、後処理機構６０に流入する。
【００５８】
このように、１次前処理機構２０ａにおいて、被処理液の排気を行い、また、被処理液からドレンを得て、さらに、ドレンを浮上油と水分とに分離するようにし、２次前処理機構５０ａ側へドレン中の水分を流すようにしたので、２次前処理機構５０ａおよび後処理機構６０においては、ドレン中の水分に含まれている分散油および乳化油をそれぞれ処理するだけでよい。すなわち、１次前処理機構２０ａ、２次前処理機構５０ａおよび後処理機構６０の３つの機構で、ドレンを処理することができる。
【００５９】
後処理機構６０の本体６１内に流入した水分は、後処理機構６０の本体６１を筒軸の端部が上方に持ち上がって傾斜するよう配設したため、ゆっくりした速さで上昇し、先ず、乳化油吸着材６８によって、分散油処理溝５０を通過した分散油や、分散油の中では比較的粒子径の小さな分散油が吸着される。
【００６０】
次に、乳化油分離材６９内をゆっくりした速さでさらに上昇し、乳化油分離材６９によって、エマルジョン化した油の微粒子を破壊し、さらに粗粒化して、油分を吸着する。次に、乳化油吸着材６８内をゆっくりした速さでさらに上昇し、乳化油分離材６９によって吸着しきれなかった油分が完全に吸着される。被処理液がゆっくりした速さで後処理機構６０内を上昇するため、乳化油吸着材６８および乳化油分離材６９により確実に被処理液を分離吸着することができる。油分が完全に吸着された処理済液は、出口ブッシュ６６を通って系外に流出する。
【００６１】
図６〜図８は、前記第１実施の形態の変形例を示している。図６〜図８において、前記第１実施の形態に係る構成と同じ構成のものには、その構成と同一番号を付して説明を省略する。前記第１実施の形態においては、２次前処理機構５０ａが分散油処理槽５０である１つの槽から成るものを示したが、図６〜図８に示すように、２次前処理機構５０ａが複数の槽を備えていて、その複数の槽がドレン中の主に分散油あるいは乳化油を徐々に吸着していくように配されているものでもよい。
【００６２】
すなわち、２次前処理機構５０ａは、２つの分散油処理槽５０を備えていて、各分散油処理槽５０でドレン中の分散油をそれぞれ吸着するようにしている。したがって、１つの容器１１の内部は、隔壁１２により、浮上油貯留槽１５、浮上油処理槽３０および２つの分散油処理槽５０の４つの槽に分かれている。このようにして、被処理液の処理量に応じて、分散油処理槽５０の数を増やしていくようにすればよい。
【００６３】
図９〜図１２は、前記第１実施の形態の他の変形例を示している。図９〜図１２においては、前記第１実施の形態に係る構成と同一のものには、その構成と同一の符号を付し、そのものの説明を省略する。図９〜図１２に示すように、容器１１の内部は、隔壁１２によってＡ槽からＧ槽の７つの槽に分かれている。Ａ槽は浮上油処理槽３０、Ｇ槽は浮上油貯留槽１５になっている。２次前処理機構５０ａを多数の槽で構成し、Ｂ槽、Ｃ槽を分散油吸着材であるフィルター部材５６を充填した分散油処理槽５０とし、Ｄ槽、Ｅ槽、Ｆ槽を乳化油分離材であるフィルター部材５６を充填した乳化油処理槽５５としてもよい。Ｄ槽、Ｅ槽、Ｆ槽に充填される乳化油分離材は、エマルジョン化した油の微粒子を破壊し、さらに粗粒化して、油分を吸着するものである。
【００６４】
この２次前処理機構５０ａにおいてドレンは以下のように処理される。ドレンは、Ａ槽の下部からＢ槽に流れ、Ｂ槽から溢れてＣ槽に流れ、Ｃ槽の下部からＤ槽に流れ、Ｄ槽から溢れてＥ槽に流れ、Ｅ槽の下部からＦ槽に流れ、Ｆ槽の上部から後処理機構６０に流れるように成っている。このようにして、Ｂ槽、Ｃ槽の各槽で分散油を少しずつ吸着することができ、また、Ｄ槽〜Ｆ槽の各槽で乳化油を少しずつ分離吸着することができる。このように、分散油処理槽５０、乳化油処理槽５５の数を増やすことにより、被処理液の処理量に２次前処理機構５０ａを柔軟に対応させることができる。
【００６５】
図１４〜図１６は、本発明の第２実施の形態を示している。本第２実施の形態においては、前記第１実施の形態に係る構成と同一のものは、その構成と同一の符号を付してそのものの説明を省略する。図１４〜図１６に示すように、ドレン処理装置１０ａの容器１１に、高耐食性に優れたステンレスドラム缶であって、オープンタイプのものが用いられている。また、ステンレスドラム缶の蓋がそのまま蓋部材１９として用いられている。蓋部材１９にはエア抜き孔が穿設され、そのエア抜き孔にはエルボ形のパイプ（図示省略）が嵌着されている。容器１１は基台１０に載置されている。
【００６６】
容器１１には、塩化ビニル製の筒本体２１を備えた１次前処理機構２０ａと２次前処理機構５０ａと外置きポリ容器１８とが収まるように配されている。２次前処理機構５０ａである容器１１の内壁には収納袋５７が吊り下げられている。基台１０の収納部１３には後処理機構６０が配され、この後処理機構６０の本体容器にもステンレスドラム缶であって、オープンタイプのものが用いられている。後処理機構６０は前記第１実施の形態のように傾斜するように配してなく、収納部１３内に立設されている。しかし、後処理機構６０には、前記第１実施の形態に係るものと同じものが内装される。
【００６７】
基台１０の収納部１３には、浮上油受け容器１８および後処理機構６０が出し入れ可能に配されている。後処理機構６０の長期間の使用で、乳化油吸着材６８や乳化油分離材６９が乳化油を吸着したり、分離したりするのが困難な状態になり、後処理機構６０を交換する必要があるとき、基台１０の収納部１３から後処理機構６０を出し入れすれば、後処理機構６０の交換作業が容易になる。
【００６８】
図１７は、前記第２実施の形態の変形例を示している。図１７において、前記第２実施の形態に係る構成と同じものは、その構成と同一番号を付してそのものの説明を省略する。図１４〜図１６に示す第２実施の形態では、排出管２２が浮上油処理槽３０を貫通するように配管されたものを示したが、図１７に示すように、排出管２２は、浮上油処理槽３０の脇を通って上方に延びている。排出管２２の上端部は、略Ｌ字形の流路になっていて、浮上油処理槽３０の上方にある空間の方へ略直角に曲がるように形成され、被処理液が略Ｌ字形の流路を通ることで被処理液に含まれたドレンが得られ、排出管２２の吹出口２２ａからドレンが排出されるように形成されている。
【００６９】
また、図１４〜図１６に示す第２実施の形態では、２次前処理機構５０ａに分散油を吸着するための分散油吸着材であるフィルター部材５６を吊り下げることで、２次前処理機構５０ａを分散油処理槽５０にしたものを示したが、図１７に示すように、２次前処理機構５０ａに、分散油吸着材であるフィルター部材５６と、乳化油を分離吸着処理する乳化油分離材であるフィルター部材５６ａを詰め込んだ収納袋５７をそれぞれ吊り下げることで、２次前処理機構５０ａを分散油処理槽５０および乳化油処理槽５５にしてもよい。
【００７０】
また、ドレンの処理量が少ない場合には、２次前処理機構５０ａを乳化油分離槽５５にしてもよく、また、場合によっては、収納袋５７も吊り下げなくてもよい。すなわち、２次前処理機構５０ａは、分散油吸着材であるフィルター部材５６を詰め込んだ収納袋５７または、分散油吸着材であるフィルター部材５６と乳化油分離材であるフィルター部材５６ａの２種類のものを詰め込んだ収納袋５７の何れも吊り下げない態様、何れか一方を吊り下げる態様、何れも吊り下げる態様の４つの態様をとることができ、ドレンの処理量に柔軟に対応することができる。
【００７１】
さらに、所定量の分散油を吸着したフィルター部材５６または乳化油を分離吸着したフィルター部材５６ａを交換する場合には、フィルター部材５６，５６ａが詰め込まれた収納袋５７を、２次前処理機構５０ａから外し、新たなフィルター部材５６，５６ａが詰め込まれた収納袋５７を、２次前処理機構５０ａに吊り下げればよい。このようにして、簡単に、フィルター部材５６，５６ａの交換作業を行うことができる。
【００７２】
図１８〜図２０は、第２実施の形態の他の変形例を示している。図１８〜図２０において、前記第２実施の形態に係る構成と同じものは、その構成と同一番号を付してそのものの説明を省略している。なお、図１８は、基台１０を省略して基台１０内部の後処理機構６０と、後処理機構６０に係る配管とを概念的に示している。
【００７３】
図１４〜図１６に示す第２実施の形態並びに、図１７に示す第２実施の形態の変形例においては、１次前処理機構２０ａと２次前処理機構５０ａとをステンレスドラム缶である容器１１に収めるようにしたものを示したが、図１８〜図２０に示すように、１次前処理機構２０ａが浮上油処理槽３０を備え、２次前処理機構５０ａが分散油処理槽５０と、分散油を除いた水分中の乳化油を分離吸着するための乳化油処理槽５５とを備えているものでは、例えば、容器１１を３つ備え、１次前処理機構２０ａの浮上油処理槽３０が、１つの容器１１に収まるように配され、２次前処理機構５０ａの分散油処理槽５０が他の１つの容器１１に収まるように配され、２次前処理機構５０ａの乳化油処理槽５５がさらに他の１つに収まるように配されているものでもよい。乳化油処理槽５５に設けられる油水分離管５１の機能は、分散油処理槽５０に設けられる油水分離管５１の機能と基本的に同じである。すなわち、乳化油をある程度分離吸着された水分が油水分離管５１により乳化油処理槽５５の下部から取り出され、後処理機構６０に流れるようになっている。
【００７４】
また、図１８および図２０に示すように、基台１０の収納部１３には２つの後処理機構６０が配されている。その２つの後処理機構６０に乳化油処理槽５５からの水分が並列に流れるように配管されている。また、基台１０の収納部１３には、浮上油受け容器１８が出し入れ可能に配されている。
【００７５】
このように１次前処理機構２０ａを構成する槽と、２次前処理機構５０ａを構成する各槽を別々の容器１１に収めたものでは、被処理液は以下のように処理される。すなわち、浮上油処理槽３０でドレンが浮上油と水分とに分離され、ドレン中の水分が２次前処理機構５０ａの分散油処理槽５０に流れ、水分中の分散油が吸着され、分散油を除いた水分が乳化油処理槽５５に流れ、水分中の乳化油が分離吸着される。このようにして乳化油をある程度除いた水分は、後処理機構６０に流れる。後処理機構６０で乳化油が完全に吸着分離され、処理水となって、排出される。
【００７６】
以上のように、１つの容器１１を浮上油処理槽３０に用いているので、浮上油処理槽３０の容量が大きくなり、多量のドレンを浮上油と水分とに分離することができ、また、別々の容器１１を分散油処理槽５０および乳化油処理槽５５にそれぞれ用いているので、分散油処理槽５０および乳化油処理槽５５の各槽の容量が大きくなり、水分中に含まれる多量の分散油および乳化油を処理することができる。
【００７７】
また、分散油処理槽５０の容量が大きくなることで、フィルター部材５６を分散油処理槽５０に吊り下げるようにしてもよい。同じように、乳化油処理槽５５の容量が大きくなることで、フィルター部材５６ａを詰めた２つの収納袋５７を乳化油処理槽５５に吊り下げるようにしてもよい。
【００７８】
図２１は、前記第２実施の形態のさらに他の変形例を示している。図２１においては、前記第２実施の形態に係る構成と同じものは、その構成と同一番号を付してそのものの説明を省略する。なお、図２１は、基台１０を省略して基台１０内部の後処理機構６０と、後処理機構６０に係る配管とを概念的に示している。図１８〜図２０に示す第２実施の形態の変形例においては、１次前処理機構２０ａを構成する槽または２次前処理機構５０ａを構成する槽を別々の容器１１に収めていたが、図２１に示すように、１次前処理機構２０ａを構成する槽と、２次前処理機構５０ａを構成する槽とを組み合わせて、１つの容器１１に収めるようにしてもよい。すなわち、１次前処理機構２０ａの浮上油処理槽３０と２次前処理機構５０ａの分散油処理槽５０とを１つの容器１１に収めるように配してもよい。このようにすることで、１次前処理機構２０ａおよび２次前処理機構５０ａを自由にレイアウトすることができる。
【００７９】
図１４〜図２１では、容器１１として１〜３個のドラム缶を用いたドレン処理装置１０ａをそれぞれ説明したが、コンプレッサーの出力と、１次前処理機構２０ａ、２次前処理機構５０ａおよび後処理機構６０にそれぞれ用いられる容器１１の容量およびその個数との関係は、以下のようになる。
【００８０】
すなわち、コンプレッサーの出力が５５ＫＷである場合、１次前処理機構２０ａおよび２次前処理機構５０ａには２００Ｌの容器１１が１個用いられ、後処理機構６０には２０Ｌの容器１１が１個用いられる。また、コンプレッサーの出力が８０ＫＷである場合、１次前処理機構２０ａおよび２次前処理機構５０ａには２００Ｌの容器１１が１個用いられ、後処理機構６０には４０Ｌの容器１１が１個用いられる。さらに、コンプレッサーの出力が１１０ＫＷである場合、１次前処理機構２０ａおよび２次前処理機構５０ａは２００Ｌの容器１１が１個用いられ、後処理機構６０には６０Ｌの容器１１が１個用いられる。
【００８１】
さらに、コンプレッサーの出力が１６０ＫＷである場合、１次前処理機構２０ａおよび２次前処理機構５０ａは２００Ｌの容器１１が２個用いられ、後処理機構６０には８０Ｌの容器１１が１個用いられる。さらに、コンプレッサーの出力が２２０ＫＷである場合、１次前処理機構２０ａおよび２次前処理機構５０ａは２００Ｌの容器１１が２個用いられ、後処理機構６０には１００Ｌの容器１１が１個用いられる。さらに、コンプレッサーの出力が３５０ＫＷである場合、１次前処理機構２０ａおよび２次前処理機構５０ａは２００Ｌの容器１１が３個用いられ、後処理機構６０には１００Ｌの容器１１が２個用いられる。
【００８２】
また、図１４〜図２１に示す第２実施の形態並びにその変形例では、容器１１としてドラム缶を用いたものを示したが、１次前処理機構２０ａ、２次前処理機構５０ａおよび後処理機構６０を収めることができ、容器製造会社や容器販売会社が提供しているものであれば、どのようなものであってもよい。
【図面の簡単な説明】
【００８３】
【図１】本発明の第１実施の形態に係るドレン処理装置の容器を破断して、１次前処理機構および２次前処理機構の内部構成を示した要部断面図である。
【図２】同じく、ドレン処理装置の正面図である。
【図３】同じく、ドレン処理装置の平面図である。
【図４】同じく、ドレン処理装置の左側面図である。
【図５】同じく、ドレン処理装置の右側面図である。
【図６】本発明の第１実施の形態の変形例に係るドレン処理装置において、２次前処理機構を複数の槽で構成したものの一部の内部構成を示した正面図である。
【図７】同じく、２次前処理機構を複数の槽で構成したものと、１次前処理機構とを示す平面図である。
【図８】同じく、ドレン処理装置の左側面図である。
【図９】本発明の第１実施の形態の他の変形例に係るドレン処理装置において、１次前処理機構と２次前処理機構とを複数の槽で構成したものを概念的に示した平面図である。
【図１０】図９のＸ−Ｘ線断面図である。
【図１１】図９のＸＩ−ＸＩ線断面図である。
【図１２】図９のＸＩＩ−ＸＩＩ線断面図である。
【図１３】本発明の第１実施の形態に係るドレン処理装置の後処理機構の内部構造を示す断面図である。
【図１４】本発明の第２実施の形態に係るドレン処理装置の一部を破断して、１次前処理機構と２次前処理機構の内部構成を示した正面図である。
【図１５】本発明の第２実施の形態に係るドレン処理装置の左側面図である。
【図１６】本発明の第２実施の形態に係るドレン処理装置の平面図である。
【図１７】同じく、第２実施の形態の変形例に係るドレン処理装置の１次前処理機構と２次前処理機構を示した断面図である。
【図１８】同じく、第２実施の形態の他の変形例に係るドレン処理装置において、１次前処理機構を構成する槽と、２次前処理機構を構成する槽とを複数の容器に別々に収めたものであり、容器の一部を破断して各槽の内部構成を示した正面図である。
【図１９】同じく、１次前処理機構を構成する槽と、２次前処理機構を構成する槽とを単独でまたは組み合わせて、各容器に収めたものの平面図である。
【図２０】同じく、１次前処理機構を構成する槽と、２次前処理機構を構成する槽とを単独でまたは組み合わせて、各容器に収めたものの左側面図である。
【図２１】同じく、第２実施の形態のさらに他の変形例に係るドレン処理装置において、１次前処理機構を構成する槽と、２次前処理機構を構成する槽とを組み合わせて、容器に収めたものであり、容器の一部を破断して各槽の内部構成を示した正面図である。
【符号の説明】
【００８４】
ＬＧ…レベルゲージ
Ｓ１…隙間
１０…基台
１０ａ…ドレン処理装置
１１…容器
１２…隔壁
１３…収納部
１５…浮上油貯留槽
１６…浮上油取出口
１７…排出ホース
１８…浮上油受け容器
１９…蓋部材
２０ａ…１次前処理機構
２１…筒本体
２２…排出管
２２ａ…吹出口
２２ｂ…下端部
２３…エアーフィルター部材
２５…被処理液投入口
３０…浮上油処理槽
３１…水分取出管
３１ａ…水分取入口
３１ｂ…上端口
３１ｃ…水分取出口
３２…浮上油処理槽の立壁
５０…分散油処理槽
５０ａ…２次前処理機構
５１…油水分離管
５１ａ…水分流入口
５１ｂ…上端口
５１ｃ…水分取出口
５２…連結管
５５…乳化油処理槽
５６、５６ａ…フィルター部材
５７…収納袋
５８…受け容器
５９…オーバーフロー管
６０…後処理機構
６１…後処理機構の本体
６２…ソケット
６３…パイプ部材
６３ａ…ねじ部
６４…蓋体
６４ａ…パッキン
６５…入口ブッシュ
６６…出口ブッシュ
６７…多孔板
６８…乳化油吸着材
６９…乳化油分離材
【図１】
2005111307.tif 000003
【図２】
2005111307.tif 000004
【図３】
2005111307.tif 000005
【図４】
2005111307.tif 000006
【図５】
2005111307.tif 000007
【図６】
2005111307.tif 000008
【図７】
2005111307.tif 000009
【図８】
2005111307.tif 000010
【図９】
2005111307.tif 000011
【図１０】
2005111307.tif 000012
【図１１】
2005111307.tif 000013
【図１２】
2005111307.tif 000014
【図１３】
2005111307.tif 000015
【図１４】
2005111307.tif 000016
【図１５】
2005111307.tif 000017
【図１６】
2005111307.tif 000018
【図１７】
2005111307.tif 000019
【図１８】
2005111307.tif 000020
【図１９】
2005111307.tif 000021
【図２０】
2005111307.tif 000022
【図２１】
2005111307.tif 000023